(57)【要約】  【課題】  時刻と動作プログラムを常に正しい状態に補正でき、ネットワークアドレス設定などの保守性に優れた電子機器装置を提供することを目的とする。  【解決手段】  電子機器装置は、通信インタフェースと演算処理部と入出力信号インタフェースとカメラ本体と記憶手段とタイマから構成される。電子機器装置は、第１のネットワークを介して、第１のネットワークに接続されたコントローラと通信を行い、さらにコントローラは第２のネットワークを介して、リモートサーバに接続され通信を行う。また、本発明の電子機器装置における通信インタフェースは、現在時刻を要求する信号を外部に送信することで現在時刻を含む信号を受信し、また定期的に現在時刻を要求する信号を外部に送信する。【選択図】  図１
2005291772.tif 000002
【特許請求の範囲】
【請求項１】
ネットワークで接続された外部からの信号によって遠隔制御される電子機器装置であって、現在時刻をカウントして保持するタイマと、外部と信号を通信する通信インタフェースと、前記通信インタフェースで受信する現在時刻を含む信号から前記タイマの現在時刻を補正する演算処理部とを備えた電子機器装置。
【請求項２】
通信インタフェースは、現在時刻を要求する信号を外部に送信することで現在時刻を含む信号を受信する請求項１記載の電子機器装置。
【請求項３】
通信インタフェースは、定期的に現在時刻を要求する信号を外部に送信する請求項２記載の電子機器装置。
【請求項４】
供給される電源をオンオフするスイッチを備え、通信インタフェースは、前記スイッチをオンにして装置を起動した時に、現在時刻を要求する信号を外部に送信する請求項２記載の電子機器装置。
【請求項５】
演算処理部は、装置の起動後、現在時刻を要求する信号を外部に送信するまでに所定の遅延時間を設ける請求項４記載の電子機器装置。
【請求項６】
他の電子機器装置と識別する固有の数値データを保存する記憶手段を備え、演算処理部は、前記数値データを元に遅延時間を算出する請求項５記載の電子機器装置。
【請求項７】
記憶手段が保存する固有の数値データは、電子機器装置に個別に付与されるネットワークアドレス情報である請求項６記載の電子機器装置。
【請求項８】
外部から数値入力される入力装置と接続し、入力受付を行う入出力インタフェースを備え、前記入力装置により入力される数値をネットワークアドレス情報として設定し記憶手段に保存する請求項７記載の電子機器装置。
【請求項９】
入力装置は操作ボタンであり、前記操作ボタンの押下回数に応じてネットワークアドレス情報を設定し記憶手段に保存する請求項８記載の電子機器装置。
【請求項１０】
入力装置はディップスイッチであり、その設定状態により入力される数値をネットワークアドレス情報として設定し記憶手段に保存する請求項８記載の電子機器装置。
【請求項１１】
記憶手段が保存する固有の数値データは、通信インタフェースが外部から受信するネットワークアドレス情報である請求項７記載の電子機器装置。
【請求項１２】
演算処理部は、装置の起動後、一定時間内に通信インタフェースが外部からネットワークアドレス情報を受信しなかった場合に、記憶手段に保存したネットワークアドレスを読み込んでネットワークに接続する７から１０のいずれかに記載の電子機器装置。
【請求項１３】
通信インタフェースは、装置の起動後一定時間内にネットワークに接続できない場合、一定時間ごとにネットワークアドレス情報の付与を要求する信号を外部に送信する請求項１１記載の電子機器装置。
【請求項１４】
通信インタフェースは、電子機器装置を動作させるためのプログラムファイルのバージョン情報を受信する請求項１から１３のいずれかに記載の電子機器装置。
【請求項１５】
通信インタフェースは、受信したバージョン情報が新しい場合のみプログラムファイルを受信し、演算処理部は、装置内に備えた記憶手段に保存したプログラムファイルを更新する請求項１４記載の電子機器装置。
【請求項１６】
演算処理部は、記憶手段に保存しているプログラムファイルを更新した場合に、装置を再起動し、前記記憶手段に更新保存したプログラムファイルを読み込む請求項１５記載の電子機器装置。
【請求項１７】
演算処理部は、装置の起動時、接続するネットワークインタフェースの種別を確認し、その種別に応じてプログラム処理を切り替える請求項１から１６のいずれかに記載の電子機器装置。
【請求項１８】
演算処理部は、装置の起動時、制御対象の電子機器装置の状態を確認し、前記電子機器装置が異常状態であると判断した場合には、起動動作を停止する請求項１から１７のいずれかに記載の電子機器装置。
【請求項１９】
演算処理部は、制御対象の電子機器装置の状態を確認し、前記電子機器装置が異常状態であると判断した場合には、異常状態を表示する表示部を備えた請求項１８記載の電子機器装置。
【請求項２０】
複数の電子機器装置と、第１のネットワークを介して通信し前記複数の電子機器装置を制御するコントローラとを備え、前記各電子機器装置は、起動時に現在時刻を要求する信号を前記コントローラに送信する電子機器装置の制御システムであって、前記各カメラ装置は、起動時から前記信号の送信までの時間を個々に異なるように設定した電子機器装置の制御システム。
【請求項２１】
コントローラは、第２のネットワークを介して外部と接続し、外部からの制御信号によって電子機器装置を制御する請求項２０記載の電子機器装置の制御システム。
【請求項２２】
コントローラは、接続する電子機器装置を検知するための同報電文を第１のネットワーク上に送信する請求項２０または２１記載の電子機器装置の制御システム。
【請求項２３】
電子機器装置がカメラ装置である請求項１乃至２２いずれかに記載の電子機器装置。
【発明の詳細な説明】
【技術分野】
【０００１】
本発明は、ネットワークに接続されるカメラ装置およびその制御システムに関するものである。
【背景技術】
【０００２】
近年、ネットワーク技術が発展し、ネットワーク網が広く一般に普及しつつある。そして、それを利用して様々なサービス、技術が導入され、利用される内容も多種多様になっている。その代表的なものにカメラをネットワーク接続し、画像データを簡単にネットワーク上に送信や配信する技術が公知となっている（例えば特許文献１参照）。
【０００３】
その一例として、図３に従来のカメラ装置の概略構成図を示す。図３においてカメラ装置３０は、ネットワーク網３２を介してパーソナルコンピュータ（以下ＰＣと称する）３４と接続され、カメラ装置３０と離れた場所でＰＣ３４を操作するユーザ３６がウェブブラウザ３４１を利用してカメラ装置３０の画像データを遠隔操作で画像取得することができる。この際、カメラ装置３０にＰＣ３４がネットワーク網３２を介して接続するためには、あらかじめカメラ装置に付与されているＩＰアドレスを把握している必要があった。
【０００４】
また、ネットワーク網３２にカメラ装置３０を複数台接続するためには、ＰＣ３４のウェブブラウザを用いてカメラ装置３０のＩＰアドレスを、他のネットワーク機器と重複しないＩＰアドレスに変更する必要があった。
【特許文献１】特開２０００−２８７１１０号公報（図２）
【発明の開示】
【発明が解決しようとする課題】
【０００５】
上記した従来のカメラ装置は、現在時刻を保持するタイマ部を有しておらず、さらに自動的に時刻同期を行う手段を有していないため、カメラ装置の時刻を常に正しい状態に維持することができなかった。また、自身の動作プログラムファイルを自動更新することができないため、プログラムの更新する際には、カメラ装置にＰＣを接続して作業をする必要があった。また、ネットワークアドレスの設定変更を行う際にも、カメラ装置にＰＣを接続して作業をする必要があった。さらに、カメラの異常状態を表示したり、ネットワークを介して他の機器に異常を通知することができなかった。
【０００６】
また、カメラ装置起動時に、接続する外部から現在の時刻情報を通知されるようにして現在時刻を設定することもできるが、１台のコントローラに複数のカメラ装置が接続されている場合、停電復旧時等に一斉に現在時刻要求が殺到するために、正しい時刻設定ができない可能性があった。
【０００７】
本発明は、上記のような課題を解決するためになされたものであり、常に正しい時刻状態を保つことができ、プログラムを常に自動更新することができ、ネットワークアドレスを簡単に設定変更ができ、さらにカメラの異常状態を表示したり、ネットワークを経由して異常状態を送信することができるカメラ装置を提供することを目的とする。
【課題を解決するための手段】
【０００８】
上記課題を解決するため、本発明の電子機器装置は、現在時刻をカウントして保持するタイマと、外部と信号を通信する通信インタフェースと、前記通信インタフェースで受信する現在時刻を含む信号から前記タイマの現在時刻を補正する演算処理部とを備えた。
【０００９】
また、本発明の電子機器装置における通信インタフェースは、現在時刻を要求する信号を外部に送信することで現在時刻を含む信号を受信する。
【００１０】
また、通信インタフェースは、定期的に現在時刻を要求する信号を外部に送信する。
【００１１】
さらに、本発明の電子機器装置は、装置に供給する電源をオンオフするスイッチを備え、通信インタフェースは、前記スイッチをオンにして装置を起動した時に、現在時刻を要求する信号を外部に送信する。
【００１２】
また、本発明の電子機器装置における演算処理部は、装置の起動後、現在時刻を要求する信号を外部に送信するまでに所定の遅延時間を設ける。
【発明の効果】
【００１３】
以上説明したように本発明では、電子機器装置を常に正しい時刻状態を保つことができ、動作プログラムも自動更新により最新状態に更新することができ、ネットワークアドレスを簡便な方法で変更できる。さらに、異常状態を本体の表示器への表示とネットワーク上の機器へ配信することができる。
【発明を実施するための最良の形態】
【００１４】
以下、図面を参照しながら発明の実施の形態を説明する。
【００１５】
（実施の形態１）
図１に本発明のカメラ装置を含むシステムの全体構成図を示す。図１において、１はカメラ装置であり、カメラ装置１には通信インタフェース１７、演算処理部１０、記憶手段１５、タイマ１６を備える。そして、演算処理部１０には、入出力信号インタフェース１３、入出力信号制御部１２、カメラ本体１８、カメラ制御部１４、通信制御部１１、遅延回路１ｂを備える。このうち、入出力信号インタフェース１３は入力装置１９および表示手段２０との入出力を制御するものである。さらにカメラ装置１は、電源スイッチ１ａを有しており、カメラ装置１の操作が必要な時のみスイッチ１ａをオンにして装置全体に電源が供給されるようにする。
【００１６】
また、カメラ装置１と第１のネットワーク３を介して通信するコントローラ２はタイマ２ａと、記憶手段２ｂを内蔵している。そして、このコントローラ２には常に電源供給されており、タイマ２ａは常時現在時刻を把握することができる。
【００１７】
そしてこのようなシステム構成で用いられるカメラ装置１においては、通信インタフェース１７により、第１のネットワーク３を介して接続されたコントローラ２と通信を行なう。さらにコントローラ２は、第２のネットワーク６を介してリモートサーバ５と通信を行ない、外部にいる利用者は例えば携帯端末２１を用いてこのリモートサーバ５と通信を行なってカメラ装置１に対して、画像の送信依頼、動作の制御等を遠隔操作で行なう。
【００１８】
なお、本実施の形態における具体的な設置例としては、例えば宅内に、留守宅での不審者の侵入や要介護者等の安全を監視する監視カメラとしてカメラ装置を取り付け、宅外にいる利用者が携帯電話等の携帯端末２１により、リモートサーバ５と交信してカメラ装置１で撮像した画像を見ることができるようにする例がある。この場合、コントローラ２は宅内に設けられ、宅外とカメラ装置１との通信を中継する中継器の働きをするものであり、宅内の第１のネットワーク３は例えばＬＡＮや電灯線通信、宅外の第２のネットワーク６は例えば電話回線、光ケーブル通信などを用いる。
上記構成の本実施の形態におけるカメラ装置１を含むシステムにおける動作について図１〜図４を用いて説明する。なお図２〜図４は本実施の形態におけるコントローラ２とカメラ装置１間の信号の送受信を示す図である。なお以下に記載する実施の形態におけるネットワークの通信形態は、ＬＡＮ（Ｌｏｃａｌ  Ａｒｅａ  Ｎｅｔｗｏｒｋ）として広く普及しているＥｔｈｅｒｎｅｔ（登録商標）を適用し、通信のプロトコルにはＴＣＰ／ＩＰを適用した実施形態をその一例として記載するが、通信媒体や通信プロトコルは他のものを適用したものも同様に構成できる。
【００１９】
まず携帯端末２１を使用する利用者がカメラ装置１で撮像した画像をリモートサーバ５にアクセスして要求する。リモートサーバ６は、第２のネットワーク６を介してコントローラ２に対して画像撮像の要求信号を送信する。
そしてさらにコントローラ２は、カメラ装置１に対して画像撮像の要求を行う。この時、図２で示すように、コントローラ２は、制御要求電文５０を第１のネットワーク３を介してカメラ装置１に送信する。この制御要求電文５０は、カメラ装置１内部の通信インタフェース１７を介して演算処理部１０の通信制御部１１で受信され、カメラ制御部１４がカメラ本体１８を制御して画像撮像が行われる。さらに撮像されたカメラ本体１８の画像は、カメラ制御部１４で画像データに変換され、制御応答電文５１として通信制御部１１から通信インタフェース１７を介して、第１のネットワーク３に接続されたコントローラ２に送信される。さらに、この画像データは、第２のネットワーク６を介してリモートサーバ５に送信され、宅外の利用者は、携帯端末２１により希望通り宅内の画像を見ることができる。
【００２０】
なお、カメラ装置１は前述したように、スイッチ１ａを有しており、利用者が留守にする時など、監視カメラを動作させる必要がある時のみスイッチをオンにして商用電源から電源供給を受ける。また監視カメラ１にはコストダウンのためバッテリーを備えないようにすることが要求される場合が多く、この場合、タイマは電源オンにするたびに現在時刻に補正する必要がある。
【００２１】
そこで、本実施の形態では、カメラ装置１はコントローラ２からコントローラ２が有するタイマ２ａが保持する現在時刻情報を含む信号を受信し、この時刻情報をタイマ１６に設定することにより、カメラ装置１の現在時刻を補正する。その動作について説明する。
【００２２】
図３に示すように、スイッチ１ａの電源を入れてカメラ装置１を起動すると、演算処理部１０は第１のネットワーク３を介して、時刻同期要求メッセージを制御要求電文５０としてコントローラ２に送信する。これに対して、コントローラ２は、この時刻同期要求メッセージを受信すると即座に、タイマ２ａが保持する現在時刻情報を含む時刻同期応答メッセージを制御応答電文５１として第１のネットワーク３を介して演算処理部１０に返信する。演算処理部１０はこの時刻情報をタイマ１６に設定する。
【００２３】
しかしながら以上のような手順で行うカメラ装置におけるタイマ補正の方法では、コントローラ２に繋がるカメラ装置が複数あった場合、停電からの復旧時などに一斉に要求信号が送信され、結果的に処理遅れが発生して正しい時刻への補正ができなくなる。
そこで、本実施の形態においては、一例として、演算処理部１０において、次に示すような手順で、起動時から時刻同期要求メッセージをコントローラ２に送信するまでの遅延時間を決定する。
【００２４】
なお、カメラ装置１に備える記憶手段１５は、電源オフ時にも記憶内容を保持する不揮発性メモリであり、記憶手段１５にはカメラ装置１に固有のシリアル番号情報が保存されている。なお、このシリアル番号情報としては、製造番号や、ネットワークに接続されている各ホストを区別するために利用されるハードウェアのアドレスであるＭＡＣアドレス
(Ｍｅｄｉａ Ａｃｃｅｓｓ Ｃｏｎｔｒｏｌ Ａｄｄｒｅｓｓ)を使用することができる。すなわち、記憶手段１５には、他のカメラ装置と識別する固有の数値データが保存されている。
【００２５】
そしてカメラ装置１では、起動時に、記憶手段１５に保存したカメラ装置１に固有のシリアル番号情報が前述の十六進数のＭＡＣアドレスある場合、その最下位１バイトを十進数変換した一の位数値をＮ１とし、Ｎ１に定数Ｓを乗じた値を遅延時間Ｔ１として算出する。そしてカメラ装置１には、送信のタイミングを遅延させる遅延回路１ｂを有しており、起動時にＴ１秒の遅延を行った後にコントローラ２に時刻同期要求電文を送信する。
【００２６】
なお、上記説明した遅延時間の算出方法は一例であり、この遅延時間を別の規則に従って決定し、コントローラ２に対する負荷分散レベルを任意に変更することができるようにしてもよい。
【００２７】
これにより、複数のカメラ装置が同一ネットワークに接続されており、停電が発生した場合であっても、停電が復旧した場合に複数のカメラ装置が一斉に起動して、一斉に時刻同期要求メッセージをコントローラ２に送信することにより、コントローラ２の処理負荷が増大したり、通信の衝突により、正しく時刻同期ができないことを抑止する。すなわち、カメラ装置１のシリアル番号に基づいて算出された所定時間の遅延があるために、コントローラ２へのカメラ装置からの同時アクセス負荷を軽減することができる。
【００２８】
また、本実施の形態におけるカメラ装置を含むシステムでは、記憶手段１５に、上記したシリアル番号情報に加えて、コントローラ２のＩＰアドレスや、コントローラ２にアクセスするための認証情報が保存されている。これによりカメラ装置１は、記憶手段１５からこれらの情報を読み込むことで、接続して情報を要求する対象のコントローラを任意に切り替えることができるようにしている。
【００２９】
すなわち１つのカメラ装置と通信し制御可能なコントローラが複数ある場合には、このように記憶手段１５に複数の接続情報を保存し、カメラ装置と通信するコントローラを適宜選択できるようにすることにより、コントローラへのアクセス負荷を分散させ、軽減することができる。
【００３０】
また、本実施の形態におけるカメラ装置を含むシステムでは、コントローラ２から、第１のネットワーク３上にカメラ装置１が接続されているかどうかを判定するための機器検知要求電文を一定周期ごとに送信している。そして、この機器検知要求電文を受信したカメラ装置１は機器検知応答電文を返信することにより、コントローラ２は第１のネットワーク３に制御対象となるカメラ装置１が接続されているかどうかを判定することができる。すなわち、このようにすることで、コントローラ側で制御対象のカメラ装置が制御可能な状態かどうかを常に把握することができる。なお、上記したコントローラから一定周期ごとに送信される機器検知要求電文は、送信先のカメラ装置を個別に宛先指定した個別電文で構成してもよいし、不特定多数のカメラ装置がネットワークに接続される場合には、宛先指定しない同報電文としてもよい。ただし、カメラ装置側からの返信信号は、自身の装置を特定する情報を信号に含んでおく必要がある。
【００３１】
また、本実施の形態におけるカメラ装置を含むシステムでは、カメラ装置１の入出力信号インタフェース１３に、表示手段２０を接続し、表示手段２０は演算処理部１０の入出力信号制御部１２により、点灯・消灯の状態を制御できる構成としている。そして、前述したコントローラ２から送信される装置の接続状態を確認するための機器検知応答電文を受信し、接続状態にあることを示す応答電文を返信した際に、入出力信号制御部１２から表示手段２０を制御してこれを点灯または消灯する。これにより、コントローラ２がカメ
ラ装置１を正しく認識し、コントローラ２から第１のネットワーク３を経由してカメラ装置１を制御できる状態になったことを表示することができる。なお、表示手段２０の代わりに、液晶等の他の表示機器を接続して表示させても同様の効果を得ることができる。
【００３２】
また、本実施の形態におけるカメラ装置を含むシステムでは、カメラ装置１の記憶手段１５にはカメラ装置１の動作プログラムファイルとそのプログラムのバージョン情報を保存している。またコントローラ２においても、記憶手段２ｂを有し、同様に、カメラ装置１の動作プログラムファイルとそのプログラムのバージョン情報を保存している。
【００３３】
そしてカメラ装置１は、定期的にコントローラ２に対して、コントローラ２が保存するカメラ装置のプログラムファイルのバージョン情報を問い合わせる電文を第１のネットワーク３を介して送信し、これを受信したコントローラ２はバージョン情報の電文をカメラ装置１に返信する。さらに演算処理部１０は、コントローラ２から送信されたプログラムファイルのバージョン情報と、記憶手段１５に保存するプログラムのバージョン情報とを比較する。
【００３４】
そして、コントローラ２が保存するプログラムファイルの方が新しいバージョンである場合にプログラムファイルのダウンロードによる更新を行なう。すなわち、この場合に、演算処理部１０は、プログラムの送信を要求する電文を第１のネットワーク３を介してコントローラ２に送信する。そしてコントローラ２は、この信号を受信すると即座に、カメラ装置１にプログラムファイルを送信し、カメラ装置１の演算処理部１０は、コントローラ２から送信されるプログラムファイルを格納したプログラム送信応答電文を受信すると、その電文からプログラムファイル情報を抽出して、記憶手段１５に保存しているプログラムファイルを更新する。
【００３５】
さらに、演算処理部１０は記憶手段１５に保存しているプログラムファイルを更新した場合、自動的にそのプログラムを再起動して記憶手段１５に保存している新しいプログラムファイルを読み込んで動作する。
【００３６】
さらに、コントローラ２は第２のネットワーク６を介してリモートサーバ５に接続されているので、コントローラ２に保持しているカメラ装置１用の動作プログラムをリモートで更新することが可能である。
【００３７】
なお上記実施の形態では、カメラ装置１から定期的にバージョン情報問い合わせる電文を送信し、コントローラ２が持つバージョン情報を受信する通信方式を示したが、コントローラ２から一定周期ごとに送信される機器検知要求電文にバージョン情報を電文に格納してカメラ装置に送信しても同様の効果を得られることは言うまでもない。
【００３８】
さらに、本実施の形態におけるカメラ装置を含むシステムでは、さらにカメラ装置１の記憶手段１５にはネットワークアドレス情報としてＩＰアドレスを保存している。そして、カメラ装置１の起動時には記憶手段１５に保存したアドレス情報を読み込んでＴＣＰ／ＩＰのプロトコルで第１のネットワーク３に接続して動作する。そして、本実施の形態では、このネットワークアドレス情報を変更可能としており、それを可能とするために、入出力信号インタフェース１３に操作ボタン１９が接続されており、操作ボタン１９の操作により入出力信号処理部１２に入力される入力信号に応じて記憶手段に保持するネットワークアドレス情報を変更する。
【００３９】
例えば、記憶手段１５に保存されているＩＰアドレスが１９２．１６９．１０．１００であったとした場合、操作ボタン１９を１回操作することにより、入出力信号制御部１２に入力される信号の変化が生じた場合に、演算処理部１０はＩＰアドレスの最下位を１増
加させてＩＰアドレスを１９２．１６９．１０．１０１に変更して記憶手段１５に保存する。さらに操作ボタンを１回操作した場合には、演算処理部１０は同様にＩＰアドレスの最下位を１増加させてＩＰアドレスを１９２．１６９．１０．１０２に変更して記憶手段１５に保存する。このようにして操作ボタン１９による操作により、任意にネットワークアドレス情報の変更、保存ができるようにしている。
【００４０】
なお、入出力信号インタフェース１３に信号を入力する手段は、操作ボタン１９の代わりに、複数ビットからなり、状態を保持できるディップスイッチを用い、演算処理部１０は、ディップスイッチの設定状態に応じて記憶手段１５に保持するネットワークアドレス情報を変更するような構成をとることもできる。
【００４１】
なお、本実施の形態におけるカメラ装置を含むシステムでは、第１のネットワーク３には、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして機能するネットワークアドレス管理サーバ４が接続されており、カメラ装置１はＤＨＣＰの規約に準じて起動時にネットワークアドレス管理サーバ４に対してネットワークアドレス付与要求を行い、ネットワークアドレス管理サーバ４からＩＰアドレスを動的に付与されるようにしていてもよい。そして、このネットワークアドレス管理サーバ４が存在しない環境であっても、カメラ装置１の演算処理部１０においては、一定時間内にＩＰアドレスが付与されない場合、記憶手段１５に保持するネットワークアドレスを読み込んでネットワークに接続するような判断処理を行なうことにより、カメラ装置１は、第１のネットワーク３を介してコントローラ２に接続して通信を行うことができる。
【００４２】
さらに、本実施の形態におけるカメラ装置を含むシステムでは、演算処理部１０は、起動後一定時間内に第１のネットワーク３に接続できない場合、一定時間ごとにネットワークアドレス管理サーバ４にＩＰアドレス付与要求を行なうようにしてもよい。
また、本実施の形態におけるカメラ装置を含むシステムでは、カメラ装置１の演算処理部１０は、起動時にカメラ本体１８の状態を確認し、カメラ本体１８が異常状態である場合には、起動動作をエラー停止、入出力信号制御部から表示手段２０に信号を出力して異常状態を表示するとともに、さらに第１のネットワーク３を介してコントローラ２にカメラ装置１の異常状態を送信するようにしてもよい。
さらに、本実施の形態におけるカメラ装置を含むシステムでは、コントローラ２は第２のネットワーク６を介してカメラ装置１の異常状態をリモートサーバ５に送信することができるようにすることで、リモートサーバ５によりカメラ装置１の異常状態を一元的に管理することができる。
【００４３】
なお、以上で説明した本実施の形態におけるカメラ装置を含むシステムでは、カメラ装置の通信インタフェース１７として、Ｅｔｈｅｒｎｅｔ（登録商標）を適用した場合について示したが、本実施の形態は、Ｅｔｈｅｒｎｅｔ（登録商標）に限定されるものではない。また、カメラ装置１の演算処理部１０は、これを実現するために、起動時に通信インタフェース１７の種別を確認し、通信インタフェースの種別に応じてプログラム処理を自動的に切り替える機能を有している。
【００４４】
これにより、カメラ装置の適用の範囲を広げ、汎用的に用いることができる。
【産業上の利用可能性】
【００４５】
本発明は、内部に独立してタイマを有さない機器からの電源起動時の現在時刻要求を、機器ごとに遅延させるようにしたので、カメラ装置をはじめ、ネットワーク上で接続する種々の電気機器と接続し、遠隔操作して用いるネットワークシステムに利用するのに有効である。
【図面の簡単な説明】
【００４６】
【図１】本発明の実施の形態におけるカメラ装置の概略構成図
【図２】本発明の実施の形態におけるコントローラとカメラ装置間の信号送受信の状態を示す図
【図３】従来の実施例におけるカメラ装置の概略構成図
【符号の説明】
【００４７】
１  カメラ装置
２  コントローラ
３  第１のネットワーク
１ａ  スイッチ
６  第２のネットワーク
１０  演算処理部
１３  入出力信号インタフェース
１５  記憶手段
１６  タイマ
１７  通信インタフェース
１８  カメラ本体
１９  入力装置
【図１】
2005291772.tif 000003
【図２】
2005291772.tif 000004
【図３】
2005291772.tif 000005